【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
複数のアイテムからなるアイテム群の３次元データを取得する３次元データ取得部と、
前記３次元データに基づいて、前記複数のアイテムの各々についての特定の観察方向である一及び複数の個別観察方向、並びに、前記アイテム群についての特定の観察方向である全体観察方向を規定する観察方向規定部と、
前記個別観察方向及び前記全体観察方向のうちのいずれか１つについて前記アイテム群の外観を表す２次元表示を含む２次元表示データを生成する表示データ生成部と、を有し、
前記３次元データは、前記複数のアイテムの各々に関する重み係数を含み、
前記観察方向規定部は、前記複数のアイテムのうち、前記重み係数で重み付けをして得たスコアが最も大きなアイテムについての前記個別観察方向を前記全体観察方向として規定することを特徴とする設計支援装置。
【請求項２】
複数のアイテムからなるアイテム群の３次元データを取得する３次元データ取得部と、
前記３次元データに基づいて、前記複数のアイテムの各々についての特定の観察方向である一及び複数の個別観察方向、並びに、前記アイテム群についての特定の観察方向である全体観察方向を規定する観察方向規定部と、
前記個別観察方向及び前記全体観察方向のうちのいずれか１つについて前記アイテム群の外観を表す２次元表示を含む２次元表示データを生成する表示データ生成部と、を有し、
前記３次元データは、前記複数のアイテムの各々に関する重み係数を含み、
前記観察方向規定部は、前記複数のアイテムのうち、（アイテムの観察面積）×（重み係数）が最も大きくなるアイテムについての前記個別観察方向を前記全体観察方向として規定することを特徴とする設計支援装置。
【請求項３】
前記複数のアイテムの各々を製造する際に選択し得る製造条件を取得する製造条件取得部と、
前記製造条件取得部によって取得された製造条件に対応する前記アイテム群の製造コストを決定するコスト決定部と、を有することを特徴とする請求項１又は２に記載の設計支援装置。
【請求項４】
前記２次元表示データを外部に送信する通信部を有することを特徴とする請求項１乃至３のいずれか１つに記載の設計支援装置。
【請求項５】
請求項１乃至４のいずれか１つに記載の設計支援装置と、
前記３次元データを入力する入力部及び前記２次元表示データを表示する出力部を有する情報端末と、を有することを特徴とする設計支援システム。
【請求項６】
情報端末を介して複数のアイテムからなるアイテム群の３次元データを取得する３次元データ取得部と、
前記３次元データに基づいて、前記複数のアイテムの各々についての特定の観察方向である一及び複数の個別観察方向、並びに、前記アイテム群についての特定の観察方向である全体観察方向を規定する観察方向規定部と、
前記個別観察方向及び前記全体観察方向のうちのいずれか１つについて前記アイテム群の外観を表す２次元表示を含む２次元表示データを生成する表示データ生成部と、
前記２次元表示データを前記情報端末に送信する通信部と、を有し、
前記３次元データは、前記複数のアイテムの各々に関する重み係数を含み、
前記観察方向規定部は、前記複数のアイテムのうち、前記重み係数で重み付けをして得たスコアが最も大きなアイテムについての前記個別観察方向を前記全体観察方向として規定することを特徴とするサーバ。
【請求項７】
複数のアイテムからなるアイテム群の３次元データを取得するステップと、
前記３次元データに基づいて、前記複数のアイテムの各々についての特定の観察方向である一及び複数の個別観察方向、並びに、前記アイテム群についての特定の観察方向である全体観察方向を規定するステップと、
前記個別観察方向及び前記全体観察方向のうちのいずれか１つについて前記アイテム群の外観を表す２次元表示を含む２次元表示データを生成するステップと、を有し、
前記３次元データは、前記複数のアイテムの各々に関する重み係数を含み、
前記個別方向及び前記全体観察方向を規定するステップで、前記複数のアイテムのうち、前記重み係数で重み付けをして得たスコアが最も大きなアイテムについての前記個別観察方向を前記全体観察方向として規定することを特徴とする設計支援方法。
【請求項８】
前記観察方向規定部は、前記複数のアイテムのうちの１つのアイテムについて、前記１つのアイテムと他のアイテムとの重複部分が最も小さくなるような観察方向を、前記１つのアイテムについての前記個別観察方向として規定することを特徴とする請求項１乃至４のいずれか１つに記載の設計支援装置。
【請求項９】
情報端末を介して複数のアイテムからなるアイテム群の３次元データを取得する３次元データ取得部と、
前記３次元データに基づいて、前記複数のアイテムの各々についての特定の観察方向である一及び複数の個別観察方向、並びに、前記アイテム群についての特定の観察方向である全体観察方向を規定する観察方向規定部と、
前記個別観察方向及び前記全体観察方向のうちのいずれか１つについて前記アイテム群の外観を表す２次元表示を含む２次元表示データを生成する表示データ生成部と、
前記２次元表示データを前記情報端末に送信する通信部と、を有し、
前記３次元データは、前記複数のアイテムの各々に関する重み係数を含み、
前記観察方向規定部は、前記複数のアイテムのうち、（アイテムの観察面積）×（重み係数）が最も大きくなるアイテムについての前記個別観察方向を前記全体観察方向として規定することを特徴とするサーバ。
【請求項１０】
複数のアイテムからなるアイテム群の３次元データを取得するステップと、
前記３次元データに基づいて、前記複数のアイテムの各々についての特定の観察方向である一及び複数の個別観察方向、並びに、前記アイテム群についての特定の観察方向である全体観察方向を規定するステップと、
前記個別観察方向及び前記全体観察方向のうちのいずれか１つについて前記アイテム群の外観を表す２次元表示を含む２次元表示データを生成するステップと、を有し、
前記３次元データは、前記複数のアイテムの各々に関する重み係数を含み、
前記個別方向及び前記全体観察方向を規定するステップで、前記複数のアイテムのうち、（アイテムの観察面積）×（重み係数）が最も大きくなるアイテムについての前記個別観察方向を前記全体観察方向として規定することを特徴とする設計支援方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
上記目的を達成するために、本発明の設計支援装置は、複数のアイテムからなるアイテム群の３次元データを取得する３次元データ取得部と、前記３次元データに基づいて、前記複数のアイテムの各々についての特定の観察方向である一及び複数の個別観察方向、並びに、前記アイテム群についての特定の観察方向である全体観察方向を規定する観察方向規定部と、前記個別観察方向及び前記全体観察方向のうちのいずれか１つについて前記アイテム群の外観を表す２次元表示を含む２次元表示データを生成する表示データ生成部と、を有し、前記３次元データは、前記複数のアイテムの各々に関する重み係数を含み、前記観察方向規定部は、前記複数のアイテムのうち、前記重み係数で重み付けをして得たスコアが最も大きなアイテムについての前記個別観察方向を前記全体観察方向として規定することを特徴とする。
【手続補正７】
【補正対象書類名】明細書
【補正対象項目名】００１２
【補正方法】変更
【補正の内容】
【００１２】
本発明の設計支援装置は、表示データ生成部が、観察方向規定部によって、複数のアイテムの各々についての個別観察方向と、アイテム群全体の全体観察方向とを認識し、この個別観察方向及び全体観察方向のいずれか１つについてのアイテムの外観を表す２次元データを生成する。従って、ユーザに対して、アイテム群全体を表示する最適な観察方向のみならず、アイテム個別での最適な観察方向に基づいたアイテム表示を行うことができる。これによって、アイテム群を構成する複数のアイテムの形状及びその仕様情報をユーザが見やすいように表示し、ユーザに有益な設計支援情報を示すことが可能となる。
また、アイテム毎に重み付けを行って個別観察方向を規定し、これに基づいて全体観察方向を規定することで、例えば重要なアイテムについて優先的に明確になるようにアイテム表示を行うことができる。
【手続補正８】
【補正対象書類名】明細書
【補正対象項目名】００１３
【補正方法】変更
【補正の内容】
【００１３】
また、上記目的を達成するために、本発明の設計支援装置は、複数のアイテムからなるアイテム群の３次元データを取得する３次元データ取得部と、前記３次元データに基づいて、前記複数のアイテムの各々についての特定の観察方向である一及び複数の個別観察方向、並びに、前記アイテム群についての特定の観察方向である全体観察方向を規定する観察方向規定部と、前記個別観察方向及び前記全体観察方向のうちのいずれか１つについて前記アイテム群の外観を表す２次元表示を含む２次元表示データを生成する表示データ生成部と、を有し、前記３次元データは、前記複数のアイテムの各々に関する重み係数を含み、前記観察方向規定部は、前記複数のアイテムのうち、（アイテムの観察面積）×（重み係数）が最も大きくなるアイテムについての前記個別観察方向を前記全体観察方向として規定することを特徴とする。
【手続補正９】
【補正対象書類名】明細書
【補正対象項目名】００１４
【補正方法】変更
【補正の内容】
【００１４】
本発明の設計支援装置は、表示データ生成部が、観察方向規定部によって、複数のアイテムの各々についての個別観察方向と、アイテム群全体の全体観察方向とを認識し、この個別観察方向及び全体観察方向のいずれか１つについてのアイテムの外観を表す２次元データを生成する。従って、ユーザに対して、アイテム群全体を表示する最適な観察方向のみならず、アイテム個別での最適な観察方向に基づいたアイテム表示を行うことができる。これによって、アイテム群を構成する複数のアイテムの形状及びその仕様情報をユーザが見やすいように表示し、ユーザに有益な設計支援情報を示すことが可能となる。
また、重み係数が高く、かつ観察面積の大きなアイテムの個別観察方向を全体観察方向とすることで、重要なアイテムが優先的に明確になり、かつアイテム群の全体を明確に表示することができる。
【手続補正１０】
【補正対象書類名】明細書
【補正対象項目名】００２０
【補正方法】変更
【補正の内容】
【００２０】
また、上記目的を達成するために、本発明のサーバは、情報端末を介して複数のアイテムからなるアイテム群の３次元データを取得する３次元データ取得部と、前記３次元データに基づいて、前記複数のアイテムの各々についての特定の観察方向である一及び複数の個別観察方向、並びに、前記アイテム群についての特定の観察方向である全体観察方向を規定する観察方向規定部と、前記個別観察方向及び前記全体観察方向のうちのいずれか１つについて前記アイテム群の外観を表す２次元表示を含む２次元表示データを生成する表示データ生成部と、前記２次元表示データを前記情報端末に送信する通信部と、を有し、前記３次元データは、前記複数のアイテムの各々に関する重み係数を含み、前記観察方向規定部は、前記複数のアイテムのうち、前記重み係数で重み付けをして得たスコアが最も大きなアイテムについての前記個別観察方向を前記全体観察方向として規定することを特徴とする。
【手続補正１１】
【補正対象書類名】明細書
【補正対象項目名】００２１
【補正方法】変更
【補正の内容】
【００２１】
また、上記目的を達成するために、本発明の設計支援方法は、複数のアイテムからなるアイテム群の３次元データを取得するステップと、前記３次元データに基づいて、前記複数のアイテムの各々についての特定の観察方向である一及び複数の個別観察方向、並びに、前記アイテム群についての特定の観察方向である全体観察方向を規定するステップと、前記個別観察方向及び前記全体観察方向のうちのいずれか１つについて前記アイテム群の外観を表す２次元表示を含む２次元表示データを生成するステップと、を有し、前記３次元データは、前記複数のアイテムの各々に関する重み係数を含み、前記個別方向及び前記全体観察方向を規定するステップで、前記複数のアイテムのうち、前記重み係数で重み付けをして得たスコアが最も大きなアイテムについての前記個別観察方向を前記全体観察方向として規定することを特徴とする。
また、本発明の設計支援装置は、前記観察方向規定部は、前記複数のアイテムのうちの１つのアイテムについて、前記１つのアイテムと他のアイテムとの重複部分が最も小さくなるような観察方向を、前記１つのアイテムについての前記個別観察方向として規定することが好ましい。
上記個別観察方向が当該アイテムに関する他のアイテムとの重複が最も少ない観察方向として規定されることで、個別観察方向に沿って表示されたアイテムはより明確に表示されることができる。
また、上記目的を達成するために、本発明のサーバは、情報端末を介して複数のアイテムからなるアイテム群の３次元データを取得する３次元データ取得部と、前記３次元データに基づいて、前記複数のアイテムの各々についての特定の観察方向である一及び複数の個別観察方向、並びに、前記アイテム群についての特定の観察方向である全体観察方向を規定する観察方向規定部と、前記個別観察方向及び前記全体観察方向のうちのいずれか１つについて前記アイテム群の外観を表す２次元表示を含む２次元表示データを生成する表示データ生成部と、前記２次元表示データを前記情報端末に送信する通信部と、を有し、前記３次元データは、前記複数のアイテムの各々に関する重み係数を含み、前記観察方向規定部は、前記複数のアイテムのうち、（アイテムの観察面積）×（重み係数）が最も大きくなるアイテムについての前記個別観察方向を前記全体観察方向として規定することを特徴とする。
また、上記目的を達成するために、本発明の設計支援方法は、複数のアイテムからなるアイテム群の３次元データを取得するステップと、前記３次元データに基づいて、前記複数のアイテムの各々についての特定の観察方向である一及び複数の個別観察方向、並びに、前記アイテム群についての特定の観察方向である全体観察方向を規定するステップと、前記個別観察方向及び前記全体観察方向のうちのいずれか１つについて前記アイテム群の外観を表す２次元表示を含む２次元表示データを生成するステップと、を有し、前記３次元データは、前記複数のアイテムの各々に関する重み係数を含み、前記個別方向及び前記全体観察方向を規定するステップで、前記複数のアイテムのうち、（アイテムの観察面積）×（重み係数）が最も大きくなるアイテムについての前記個別観察方向を前記全体観察方向として規定することを特徴とする。